(57)【要約】【課題】複数の妨害源を模擬する近接放射イミュニティ評価を行う際に、イミュニティの低くなる印加位置を簡易に確定する。【解決手段】複数の印加用アンテナの内の１つを選択的に順次に切り替えて移動する切替機と、アンテナの移動中に複数のアンテナから印加される妨害波により誘導された電流および／または電圧を周期的に測定する測定部と、アンテナの移動中に周期的に測定された電流および／または電圧を比較する比較部と、周期的に測定された電流および／または電圧の比較の結果に基づいて、周期的に測定された電流および／または電圧が極大値となる位置に、複数の印加用アンテナの各々の移動を制御する制御部とを備え、電流および／または電圧が極大値となる位置に複数の印加用アンテナの各々が移動されたときに、複数の印加用アンテナの移動量の合計が予め定められた値以下である場合に、イミュニティが低くなる位置であることを表示部に表示するようにした。【選択図】図８
2017009499.tif 000002
【特許請求の範囲】
【請求項１】
近接イミュニティ評価を行う装置であって、
複数の印加用アンテナの移動を制御する制御部と、
前記制御部の指示に従って、前記複数の印加用アンテナの内の１つを選択的に順次に切り替えて移動する切替機と、
前記制御部の指示に従って、前記複数の印加用アンテナの各々の移動量を記憶する記憶部と、
前記複数の印加用アンテナの内の１つが移動中に、前記複数の印加用アンテナから印加される妨害波により誘導された電流および電圧の少なくとも１つを周期的に測定する測定部と、
前記複数の印加用アンテナの内の１つが移動中に、周期的に測定された電流および電圧の少なくとも１つを比較する比較部と
を備え、
前記制御部は、
前記周期的に測定された電流および電圧の少なくとも１つの比較の結果に基づいて、前記周期的に測定された電流および電圧の少なくとも１つが極大値となる位置に、前記複数の印加用アンテナの各々の移動を制御し、
前記周期的に測定された電流および電圧の少なくとも１つが極大値となる位置に前記複数の印加用アンテナの各々が移動されたときに、前記複数の印加用アンテナの移動量の合計が予め定められた値以下である場合に、イミュニティが低くなる位置であることを表示するように表示部に指示する
ように構成されたことを特徴とする、近接イミュニティ評価装置。
【請求項２】
前記制御部は、前記複数の印加用アンテナの内の１つを移動中に、前記周期的に測定された電流および電圧の少なくとも１つの比較の結果が前記測定された電流および電圧の少なくとも１つの減少を示すときに、移動の方向を反転するように構成されたことを特徴とする、請求項１に記載の近接イミュニティ評価装置。
【請求項３】
前記制御部は、前記複数の印加用アンテナの内の１つを移動中に、前記周期的に測定された電流および電圧の少なくとも１つの比較の結果が連続して前記測定された電流および電圧の少なくとも１つの減少を示すときに、移動を停止するように構成されたことを特徴とする、請求項１又は２に記載の近接イミュニティ評価装置。
【請求項４】
前記制御部は、前記複数の印加用アンテナの各々を順次、第１の移動方向に移動した後に、前記複数の印加用アンテナの各々を順次、前記第１の移動方向に直交する第２の移動方向に移動するように構成されたことを特徴とする、請求項１乃至３のいずれかに記載の近接イミュニティ評価装置。
【請求項５】
近接イミュニティ評価方法であって、
複数の印加用アンテナの各々を順に、
第１の移動方向に沿って移動し、
前記第１の移動方向に沿った移動中に、前記複数の印加用アンテナから印加される妨害波により誘導された電流および電圧の少なくとも１つを周期的に測定し、
前記第１の移動方向に沿った移動中に周期的に測定された電流および電圧の少なくとも１つを比較し、
前記第１の移動方向に沿った移動中に周期的に測定された電流および電圧の少なくとも１つの比較の結果が前記第１の移動方向に沿った移動中に測定された電流および電圧の少なくとも１つの減少を示すときに、前記第１の移動方向に沿った移動方向を反転し、
前記第１の移動方向に沿った移動中に周期的に測定された電流および電圧の少なくとも１つの比較の結果が連続して前記第１の移動方向に沿った移動中に測定された電流および電圧の少なくとも１つの減少を示すときに、前記第１の移動方向に沿った移動を停止し、
記憶部に前記第１の移動方向に沿った移動量を記録することと、
前記複数の印加用アンテナの各々を順に、
前記第１の移動方向に直交する第２の移動方向に沿って移動し、
前記第２の移動方向に沿った移動中に、前記複数の印加用アンテナから印加される妨害波により誘導された電流および電圧の少なくとも１つを周期的に測定し、
前記第２の移動方向に沿った移動中に周期的に測定された電流および電圧の少なくとも１つを比較し、
前記第２の移動方向に沿った移動中に周期的に測定された電流および電圧の少なくとも１つの比較の結果が前記第２の移動方向に沿った移動中に測定された電流および電圧の少なくとも１つの減少を示すときに、前記第２の移動方向に沿った移動方向を反転し、
前記第２の移動方向に沿った移動中に周期的に測定された電流および電圧の少なくとも１つの比較の結果が連続して前記第２の移動方向に沿った移動中に測定された電流および電圧の少なくとも１つの減少を示すときに、前記第２の移動方向に沿った移動を停止し、
前記記憶部に前記第２の移動方向に沿った移動量を記録することと、
前記複数の印加用アンテナの移動量の合計が予め定められた値以下である場合に、表示部にイミュニティが低くなる位置であることを表示することと
を含むことを特徴とする、近接イミュニティ評価方法。
【発明の詳細な説明】
【技術分野】
【０００１】
本発明は、機器の近接放射イミュニティの評価装置及び方法に関し、より詳細には、複数の印加用アンテナからの妨害波によるイミュニティが低くなる印加用アンテナの位置を決定するための近接イミュニティ評価装置及び方法に関する。
【背景技術】
【０００２】
電子機器を使用する際に、外から電気的な変動が侵入すると、当該機器の内部の回路に、意図しない電流や電圧が発生し、誤動作を起こすことがある。
【０００３】
従来、この誤動作を避けるために、市場に出す電子機器の電気的な耐性（イミュニティ）を評価することが考えられ、国際的な規格も制定されている（例えばIEC 61000-4シリーズ）。
【０００４】
空中を伝搬して電子機器に侵入する電気的変動（放射妨害波）による影響に対するイミュニティ（放射イミュニティ）の評価は、評価される電子機器（Equipment Under Test（ＥＵＴ））に、所定の印加用アンテナから所定の電波を印加して行う。
【０００５】
図１を参照して、放射イミュニティ試験の概要を説明する。ＥＵＴ１００の表面から予め定められた距離だけ離して、印加範囲の中央が、印加用アンテナが指向する印加位置となるように、印加用アンテナ１１０を設置し、電波を印加して機器のイミュニティを評価する。放射イミュニティ試験法国際規格IEC 61000-4-3においては、印加用アンテナに面したＥＵＴの表面を一度で試験することとしている。
【０００６】
従来、放射イミュニティを評価する際の妨害源としては、ある程度離れた位置に設置された機器を想定し、評価の際に印加する電波も遠方から放射されたものとしてＥＵＴの印加面全体に対する均一性を規制している。
【０００７】
しかしながら、近年、携帯無線通信機の使用が一般的になり、妨害源である機器が被害を受ける電子機器のごく近傍に接近することが考えられる。妨害源から放射された電波は進行する距離が大きくなると急速に減衰する。このため、大型の電子機器に妨害源が接近した場合、当該電子機器の、妨害源に近い場所が受ける電界強度は大きいが、妨害源から離れた場所が受ける電界強度は小さくなる。その場合、遠方からの電波印加を行う放射イミュニティ評価法では、実際の妨害波印加を再現できない。つまり、遠方からの電波印加を行う放射イミュニティ評価法では、ＥＵＴの印加面全体に対する電界強度が均一であることから、ごく近傍に妨害源があると想定される場所から離れた場所においてＥＵＴが受ける電界強度も大きくなり、妨害源があると想定される場所から離れた場所におけるイミュニティが不当に低く評価されることになるという問題があった。このため、ＥＵＴの近傍から妨害波を印加する近接放射イミュニティ試験法（例えば、自動車電装品に関する近接放射イミュニティ試験法（例えば、非特許文献１の第１１．６章及び１２．３１章参照））が制定されている。この試験法においては、一度の印加で試験できるのはＥＵＴの一部である。したがって、一度に定められた電界強度を印加できる範囲（印加範囲）を定めており、ＥＵＴ表面を印加範囲で分割して、印加範囲毎に試験を行うよう規定している。この場合、ＥＵＴの当該印加範囲以外の場所に対する妨害波印加の影響は小さい。
【０００８】
図２を参照して、近接放射イミュニティ試験の概要を説明する。近接放射イミュニティ試験では、ＥＵＴ１００の表面を複数の印加範囲に分割し、印加範囲毎にイミュニティを評価する。近接放射イミュニティ試験では、各印加範囲の試験毎に、ＥＵＴ１００の表面から予め定められた距離だけ離して、印加範囲の中央が、印加用アンテナが指向する印加位置となるように、印加用アンテナ２１０を移動して設置し、電波を印加して機器のイミュニティを評価する。近接放射イミュニティ試験では、分割した複数の印加範囲のうちの１つについて評価した後、印加用アンテナを移動して別の印加範囲の評価を、順次（１，２,・・・ｎ,・・・）を繰り返すことになる。
【０００９】
しかしながら、実際の携帯無線機器の使用状況を考えると、図３に示すように同時に複数の携帯無線機器１１２が電子機器（ＥＵＴ）１００に近接することが考えられる。
【００１０】
このとき、電子機器（ＥＵＴ）１００内の回路の一か所に妨害波が印加された場合には誤動作が起こらないが、回路内の複数箇所に同時に妨害波が印加された場合に誤動作が起こる可能性が考えられる。
【００１１】
図４に、複数の携帯無線機器（携帯電話や無線ＬＡＮ機器）１１２を使用したときに誤動作が起こるイメージを示す。図４において、携帯電話１１２が電子機器１００の内部の装置（内部装置）１０２−１に、また無線ＬＡＮ装置１１２が内部装置１０２−２に近接している。内部装置１０２−１及び内部装置１０２−２にそれぞれに電圧・電流を誘導する妨害波は誤動作を起こすレベルではないが、内部装置１０２−１から内部配線１０４を介して内部装置１０２−２に妨害波が印加されるとき、内部装置１０２−２で誤動作が発生する。現在制定または審議されている近接イミュニティ試験法ではこのような場合の評価を行うことはできない。
【００１２】
このような状況でのイミュニティを評価するために、印加用アンテナを複数使用し、ＥＵＴの複数箇所に同時印加しながらイミュニティを評価する方法が考えられる。この場合、近接が想定される個数だけ印加用アンテナを設置し、複数の印加用アンテナから同時に妨害波を印加してイミュニティ評価を行う。
【先行技術文献】
【非特許文献】
【００１３】
【非特許文献１】Ford EMC-CS-2009.1，2010年2月11日，http://www.fordemc.com/docs/download/EMC_CS_2009rev1.pdf
【発明の概要】
【発明が解決しようとする課題】
【００１４】
しかしながら、近接イミュニティ評価を行うための１回の印加範囲は小さく、ＥＵＴ全体の近接イミュニティの評価のために、膨大な回数の評価を行う必要がある。すなわち、ＥＵＴの表面を分割したｍ個（複数）の印加範囲にｎ個（複数、ｍ＞ｎ）の印加用アンテナから妨害波を印加してＥＵＴ全体の近接イミュニティ評価を行う場合、ｍ個からｎ個を選択する組み合わせであるmＣn通りの評価を行う必要がある。この組み合わせの数（すなわちＥＵＴ全体の評価に要する評価の回数）は、ｍ,ｎの増加に従い、急増する。図５は、６４個に分割したＥＵＴの表面に近接して位置から３個の印加用アンテナに同時に妨害波を印加して、ＥＵＴ全体の近接イミュニティ評価を行う場合を例示している。３つの印加用アンテナの内の１個を第ｊ番目の印加位置に移動して第ｊ番目の印加範囲に妨害波を印加し、残りの２個の印加用アンテナの内の１個を第ｋ番目の印加位置に移動して第ｋ番目の印加範囲に妨害波を印加し、さらに残りの１個の印加用アンテナを第ｌ番目の印加位置に移動して第ｌ番目の印加範囲に妨害波を印加して、近接イミュニティ評価を行うとすると、３つの印加用アンテナの印加位置の組み合わせの数は64Ｃ3＝４１，６６４通りになる。
【００１５】
また放射イミュニティ試験法国際規格IEC 61000-4-3においては、誤動作の判定のために、１回の印加範囲の評価ごとにＥＵＴが反応するまでの時間として１秒以上の印加を必要としている（１秒以上の妨害波を印加してＥＵＴの動作を観察することを必要としている）。このため、評価回数が増えると、評価に要する時間は膨大になる。
【００１６】
本発明は、このような問題に鑑みてなされたもので、その目的とするところは、ＥＵＴに近接する複数の妨害源を模擬する近接放射イミュニティ評価を行う際に、イミュニティの低くなる印加位置を簡易に確定する装置及び方法を提供することにある。
【課題を解決するための手段】
【００１７】
このような目的を達成するため、本発明は、複数の印加用アンテナを、１個ずつ順番に誤動作を起こしやすい位置に動かし、最終的に、当該複数の印加用アンテナの組み合わせで、イミュニティが低くなる複数の印加用アンテナの位置（ＥＵＴの誤動作が発生しやすい複数の印加用アンテナの位置）を決定する。イミュニティが低くなる複数の印加用アンテナの位置の決定のために、ＥＵＴから外部に繋がるケーブルに現れる電圧・電流を測定する。外部からＥＵＴの内部に印加された妨害波により、ＥＵＴの内部装置及び内部配線に電圧・電流が誘導され、一定以上のレベルの電圧・電流によりＥＵＴの誤動作が発生する。同時に、この電圧・電流は外部に繋がるケーブルにも伝導する。この外部に繋がるケーブルに現れる電圧・電流を測定することで、ＥＵＴの反応時間を待つ必要がなく、印加用アンテナを動かしながら連続的なイミュニティ評価が可能となる。
【００１８】
本発明の第１の態様は、近接イミュニティ評価装置である。第１の態様の近接イミュニティ評価装置は、複数の印加用アンテナの移動を制御する制御部と、制御部の指示に従って、複数の印加用アンテナの内の１つを選択的に順次に切り替えて移動する切替機と、制御部の指示に従って、複数の印加用アンテナの各々の移動量を記憶する記憶部と、複数の印加用アンテナの内の１つが移動中に、複数の印加用アンテナから印加される妨害波により誘導された電流および電圧の少なくとも１つを周期的に測定する測定部と、複数の印加用アンテナの内の１つが移動中に、周期的に測定された電流および電圧の少なくとも１つを比較する比較部とを備える。制御部は、周期的に測定された電流および電圧の少なくとも１つの比較の結果に基づいて、周期的に測定された電流および電圧の少なくとも１つが極大値となる位置に、複数の印加用アンテナの各々の移動を制御する。制御部は、周期的に測定された電流および電圧の少なくとも１つが極大値となる位置に複数の印加用アンテナの各々が移動されたときに、複数の印加用アンテナの移動量の合計が予め定められた値以下である場合に、イミュニティが低くなる位置であることを表示するように表示部に指示する。
【００１９】
一実施形態では、制御部は、複数の印加用アンテナの内の１つを移動中に、周期的に測定された電流および電圧の少なくとも１つの比較の結果が測定された電流および電圧の少なくとも１つの減少を示すときに、移動の方向を反転するように構成されている。制御部は、複数の印加用アンテナの内の１つを移動中に、周期的に測定された電流および電圧の少なくとも１つの比較の結果が連続して前記測定された電流および電圧の少なくとも１つの減少を示すときに、移動を停止するように構成されている。制御部は、複数の印加用アンテナの各々を順次第１の移動方向に移動した後に、第１の移動方向に直交する第２の移動方向に移動するように構成されている。
【００２０】
本発明の第２の態様は、近接イミュニティ評価方法である。近接イミュニティ評価方法は、上記近接イミュニティ評価装置により実装され得る。近接イミュニティ評価方法は、複数の印加用アンテナの各々を順に、第１の移動方向に沿って移動し、第１の移動方向に沿った移動中に、複数の印加用アンテナから印加される妨害波により誘導された電流および電圧の少なくとも１つを周期的に測定し、周期的に測定された電流および電圧の少なくとも１つを比較し、比較の結果が電流および電圧の少なくとも１つの減少を示すときに、移動方向を反転し、比較の結果が連続して電流および電圧の少なくとも１つの減少を示すときに、移動を停止することを含む。
【００２１】
また、近接イミュニティ評価方法は、複数の印加用アンテナのすべてについて、第１の移動方向に沿った移動が停止した後に、複数の印加用アンテナの各々を順に、第１の移動方向に直交する第２の移動方向に沿って移動し、第２の移動方向に沿った移動中に、複数の印加用アンテナから印加される妨害波により誘導された電流および電圧の少なくとも１つを周期的に測定し、周期的に測定された電流および電圧の少なくとも１つを比較し、比較の結果が電流および電圧の少なくとも１つの減少を示すときに、移動方向を反転し、比較の結果が連続して電流および電圧の少なくとも１つの減少を示すときに、移動を停止することを含む。
【００２２】
さらに、近接イミュニティ評価方法は、記憶部に第１および第２の移動方向に沿った移動量を記録することと、複数の印加用アンテナの移動量の合計が予め定められた値以下である場合に、表示部にイミュニティが低くなる位置であることを表示することとを含む。
【００２３】
一実施形態では、複数の印加用アンテナの移動量の合計が予め定められた値より多い場合に、複数の印加用アンテナについて、上記第１の移動方向に沿って移動すること乃至停止すること、並びに、上記第２の移動方向に沿って移動すること乃至停止することを再開するようにしてもよい。
【発明の効果】
【００２４】
以上説明したように、本発明によれば、複数の妨害源のＥＵＴへの近接を模擬する近接放射イミュニティ評価を行う際に、イミュニティの低い場所を簡易に確定することが可能となる。
【図面の簡単な説明】
【００２５】
【図１】放射イミュニティ試験の概要を説明するための図である。
【図２】近接放射イミュニティ試験の概要を説明するための図である。
【図３】複数の妨害源による電子機器への影響を説明するための図である。
【図４】複数の妨害源による電子機器への影響を説明するための図である。
【図５】複数の妨害源による電子機器の近接イミュニティを評価する方法を説明するための図である。
【図６】本願発明の概略を説明するための図である。
【図７】本願発明の近接イミュニティ評価装置の構成図である。
【図８】本願発明の近接イミュニティ評価方法を説明する図である。
【図９】本願発明の近接イミュニティ評価方法を説明する図である。
【発明を実施するための形態】
【００２６】
以下、図面を参照しながら本発明の実施形態について詳細に説明する。同一または類似の符号は、同一または類似の要素を示す。したがって、重複する説明は省略する。
【００２７】
まず、図６を参照して、本発明の概略を説明する。ＥＵＴ１００は、内部配線１０４で接続された内部装置１０２−１と１０２−２を含む。内部装置１０２−２は、ＥＵＴ１００の外部に繋がる配線にも接続され、外部に繋がる配線には、プローブ６００が設けられている。プローブ６００は、ケーブル６０２を介して測定部（測定器）と接続されている。
【００２８】
図６に示すように、本発明は、複数の印加用アンテナ（第ｋ，ｌ，ｍの印加用アンテナ２１０−ｋ，−ｍ，−ｌ）を、１個ずつ順番に誤動作を起こしやすい位置に動かし、最終的に、当該複数の印加用アンテナの組み合わせで、誤動作が発生しやすい位置を決定する。近接イミュニティ評価方法は、誤動作判定（誤動作を起こしやすい位置の決定）のために、内部装置１０２−２からＥＵＴ１００の外部に繋がる配線に現れる電圧・電流（内部装置１０２−２に誘導され、ＥＵＴ１００の外部に繋がる配線にも誘導される電圧・電流）を、プローブ６００及びケーブル６０２を介して測定する。以下、図７乃至９を参照して、本発明の実施形態を説明する。
【００２９】
図７は、本発明の一実施形態にかかる近接イミュニティ評価装置の構成図である。図７は、想定される近接妨害源が３個の場合を示しているが、２個または４個以上の場合でも同様である。
【００３０】
本実施形態の近接イミュニティ評価装置は、切替機７０２、制御部７０４、記憶部７０６、測定部７０８、比較部７１０及び表示部７１２を備える。
【００３１】
切替機７０２は、制御部７０４からの指示に従って、複数の印加用アンテナの内の１つを選択的に切り替えて、移動する。また、選択された印加用アンテナの移動方向を切り替える。例えば、切替機７０２は、印加用アンテナｎとして印加用アンテナ１を選択して移動する、移動方向は、上下方向または左右方向から選択される。
【００３２】
制御部７０４は、切替機７０２を通して印加用アンテナｎを移動して、移動量を記憶部７０６に与える。記憶部７０６は移動量を蓄積する。
【００３３】
測定部７０８は、外部に繋がるケーブルに接続したプローブ６００およびケーブル６０２を介して一定周期で電流および電圧を測定し、測定結果を比較部７１０に与える。
【００３４】
比較部７１０は、今周期の測定結果と前周期の測定結果を比較し、今周期の測定結果が大きいとき信号１を、小さいとき信号２を制御部７０４に与える。
【００３５】
制御部７０４は、信号１を与えられたときは印加用アンテナｎの移動方向を継続し、信号２を与えられたときは印加用アンテナｎの移動方向を反対方向に変えるように指示する。ただし、２回連続で信号２を与えられたときは印加用アンテナｎの移動を止めて、印加用アンテナｎ＋１を切り替えるように指示する。
【００３６】
切替機７０２は、印加用アンテナｎの移動が止まったとき、印加用アンテナｎ＋１に切り替える。例えば、印加用アンテナ２に切り替える。ただし、印加用アンテナ３が選択されていたときは、印加用アンテナ１に切り替え、移動方向を９０度変更する（移動が上下方向であったときは、左右方向に変更する）。
【００３７】
制御部７０４は、複数の印加用アンテナのすべてについての上下方向及び左右方向への移動が完了したときに、すべての印加用アンテナの移動量の合計が予め定められた値以下のとき、ＥＵＴの内部で誘導される電流および電圧の少なくとも１つが安定したとして、イミュニティが低くなる位置であることを表示するように表示部７１２に指示する。他方、すべての印加用アンテナの移動量の合計が予め定められた値よりも大きいとき、ＥＵＴの内部で誘導される電流および電圧の少なくとも１つが不安定であるとして、複数のアンテナの移動の垂直方向及び水平方向の移動をやり直す。これは、不安定な電流および電圧の少なくとも１つに起因して、測定される電流および電圧の少なくとも１つの極大値の変動が生じたため、印加用アンテナの移動量が多くなったものと考えられるからである。
【００３８】
次に、図８及び９を参照して、一実施形態にかかる近接イミュニティ評価方法について説明する。当初の印加用アンテナの位置は任意である。
【００３９】
ステップＳ８０１において、測定部７０８がプローブを介して外部に繋がるケーブルの電流および電圧の少なくとも１つを一定周期で測定しながら、制御部７０４は、切替機７０２を通して印加用アンテナ１を垂直方向に移動する。印加用アンテナ１からの妨害波が内部装置に効果的に印加または誘導されて測定される電流および電圧の少なくとも１つが極大値をとったとき（すなわち、比較部７１０が２回連続で信号２を与えられたとき）、制御部７０４は、切替機７０２に指示して、印加用アンテナ１を停止し、印加用アンテナ２に切り替える。
【００４０】
ステップＳ８０２において、ステップＳ８０１と同様に、制御部７０４は、測定される電流および電圧の少なくとも１つが極大値をとるまで、切替機７０２を通して印加用アンテナ２を垂直方向に移動する。その後、制御部７０４は、印加用アンテナ２を停止し、印加用アンテナ３に切り替える。
【００４１】
ステップＳ８０３において、ステップＳ８０１及びＳ８０２と同様に、制御部７０４は、測定される電流および電圧の少なくとも１つが極大値をとるまで、印加用アンテナ３を垂直方向に移動する。その後、制御部７０４は、印加用アンテナ３を停止し、印加用アンテナ１に切り替え、移動方向を垂直方向から水平方向へ切り替える。
【００４２】
ステップＳ８０４において、制御部７０４は、測定される電流および電圧の少なくとも１つが極大値をとるまで、印加用アンテナ１を水平方向に移動する。その後、制御部７０４は、印加用アンテナ１を停止し、印加用アンテナ２に切り替える。
【００４３】
ステップＳ８０５において、ステップＳ８０４と同様に、測定される電流および電圧の少なくとも１つが極大値をとるまで、制御部７０５は、印加用アンテナ２を水平方向に移動する。その後、制御部７０４は、印加用アンテナ２を停止し、印加用アンテナ３に切り替える。
【００４４】
ステップＳ８０６において、ステップＳ８０４及びＳ８０５と同様に、測定される電流および電圧の少なくとも１つが極大値をとるまで、制御部７０４は、印加用アンテナ３を水平方向に移動する。その後、制御部７０４は、印加用アンテナ３を停止する。または、制御部７０４は、印加用アンテナ３を停止し、印加用アンテナ１に切り替える、移動方向を水平方向から垂直方向へ切り替える。
【００４５】
ステップＳ８０７において、ステップＳ８０１〜Ｓ８０６を実行したときのすべての印加用アンテナの移動量の合計が予め定めた値より大きいとき、ＥＵＴの内部で誘導される電流および電圧の少なくとも１つが不安定であるとして、ステップＳ８０１〜Ｓ８０６を再実行する。すべての印加用アンテナの移動量の合計が予め定められた値以下であるとき、ＥＵＴ１００の内部で誘導される電流および電圧の少なくとも１つが安定したとして、制御部７０４は、イミュニティが低い位置であることを表示するように表示部に指示する。
【００４６】
図９に、最終的な各印加用アンテナの位置が決まったイメージを示す。この場合、印加用アンテナが近接した内部装置及び内部配線の組み合わせが、イミュニティを下げていることがわかる。
【００４７】
印加用アンテナは携帯無線機を模擬しているので、印加用アンテナの移動を制御する際に、すべての印加用アンテナが一か所に集まるような、携帯無線機が取り得ない位置関係を排除することは可能である。
【符号の説明】
【００４８】
１００  電子機器（ＥＵＴ）
１０２  内部装置
１０４  内部配線
１１０，２１０  印加用アンテナ
１１２  携帯無線端末機器，携帯電話、無線ＬＡＮ装置
６００  プローブ
６０２  ケーブル
７０２  切替機
７０４  制御部
７０６  記憶部
７０８  測定部
７１０  比較部
７１２  表示部
【図１】
2017009499.tif 000003
【図２】
2017009499.tif 000004
【図３】
2017009499.tif 000005
【図４】
2017009499.tif 000006
【図５】
2017009499.tif 000007
【図６】
2017009499.tif 000008
【図７】
2017009499.tif 000009
【図８】
2017009499.tif 000010
【図９】
2017009499.tif 000011